(57)【要約】【課題】  高減衰でかつ小型な積層ストリップラインフィルタを提供すること。【解決手段】  一端が短絡端２０とされ、他端が開放端１９とされた第１，第２の線路導体１１，１２を対向するように配設させるとともに、一端が短絡端２０とされ、他端がそれぞれ第１，第２の線路導体１１，１２と電気的に接続される第３，第４の線路導体１３，１４を、平面透視して第１，第２の線路導体１１，１２に対し線路方向と直交する方向の両側に配置し、また、一端が開放端１９とされ、他端がそれぞれ第１，第２の線路導体１１，１２と電気的に接続された第５，第６の線路導体１５，１６を、平面透視して第１，第２の線路導体１１，１２に対し線路方向と直交する方向の両側に配置し、さらに、第３，第５の線路導体１３，１５を第１の線路導体１１に対し線路方向と直交する方向の両側に、第４，第６の線路導体１４，１６を第２の線路導体１２に対し線路方向と直交する方向の両側に配置した。【選択図】  図１
2006270762.tif 000002
【特許請求の範囲】
【請求項１】
複数の誘電体層を積層してなる積層体の内部に、一端が短絡端とされ、他端が開放端とされた第１，第２の線路導体を、間に前記誘電体層を挟んで少なくとも一部が対向するように配設させるとともに、これら第１，第２の線路導体に対し前記誘電体層の積層方向の両側に一対の接地電極を配設し、
前記一対の接地電極間に、一端が短絡端とされ、他端が連結導体を介してそれぞれ前記第１，第２の線路導体と電気的に接続される第３，第４の線路導体を、前記積層体を平面透視して前記第１，第２の線路導体に対し該線路導体の線路方向と直交する方向の両側に配置し、また、一端が開放端とされ、他端が連結導体を介してそれぞれ前記第１，第２の線路導体と電気的に接続された第５，第６の線路導体を、前記積層体を平面透視して前記第１，第２の線路導体に対し該線路導体の線路方向と直交する方向の両側に配置し、
さらに、前記第３，第５の線路導体を前記第１の線路導体に対し該線路導体の線路方向と直交する方向の両側に、前記第４，第６の線路導体を前記第２の線路導体に対し該線路導体の線路方向と直交する方向の両側にそれぞれ配置したことを特徴とする積層ストリップラインフィルタ。
【請求項２】
前記第１，第５の線路導体の開放端同士、及び前記第２，第６の線路導体の開放端同士が連結導体を介して電気的に接続されていることを特徴とする請求項１に記載の積層ストリップラインフィルタ。
【発明の詳細な説明】
【技術分野】
【０００１】
本発明は、例えば携帯電話や無線ＬＡＮ等の無線通信機器その他の各種通信機器等において使用される、線路導体により構成された高周波回路用の積層ストリップラインフィルタに関するものである。
【背景技術】
【０００２】
近年、携帯電話機等の移動体通信機器等に使用されるフィルタは、移動体通信機器等の薄型化・小型化の要求に伴い、誘電体同軸型共振器を用いたフィルタから分布定数回路を共振器に用いた積層ストリップラインフィルタへと進展してきている。
【０００３】
このような従来の積層ストリップラインフィルタの例として、特開平９−３３１２０１号公報には、図９の分解斜視図および図１０の透視平面図に示す構成のものが提案されている。
【０００４】
図９および図１０において、３０は第１乃至第３の誘電体層３０ａ乃至３０ｃを順次積層した誘電体、３１，３２は、第１の誘電体層３０ａ−第２の誘電体層３０ｂ間に配設された第１の片端開放線路導体，第１の片端短絡線路導体であり、第１の片端開放線路導体３１の開放端３７と反対側の端部と第１の片端短絡線路導体３２の短絡端３８と反対側の端部とが電気的に接続されている。３３，３４は第２の誘電体層３０ｂ−第３の誘電体層３０ｃ間に配設された第２の片端開放線路導体，第２の片端短絡線路導体であり、第２の片端開放線路導体３３の開放端３７と反対側の端部と、第２の片端短絡線路導体３４の短絡端３８と反対側の端部とが電気的に接続されている。３５は誘電体３０の上下両側に配設された一対の接地電極、３６は接続導体である。誘電体３０内において第１，第２の片端開放線路導体３１，３３は積層方向から見てそれぞれ少なくとも一部が対向するように配設されて、電磁界的に結合しているとともに、第１，第２の片端短絡線路導体３２，３４は積層方向から見てそれぞれ少なくとも一部が対向するように配設され電磁界的に結合している。なお、図１０においては、一対の接地電極３５、接続導体３６の図示は省略している。
【０００５】
そして、第１，第２の片端短絡線路導体３２，３４の短絡端３８は、接続導体３６を介して一対の接地電極３５にそれぞれ電気的に接続される構成となっていた。
【０００６】
図１１は、上記の従来の積層ストリップラインフィルタの構成を回路図で示したものである。また図１２は、上記の従来の積層ストリップラインフィルタで実現されるフィルタ特性を示したものである。
【０００７】
そして、第１，第２の片端開放線路導体３１，３３の幅Ｗ１、第１，第２の片端短絡線路導体３２，３４の幅Ｗ２、第１の片端開放線路導体３１と第２の片端開放線路導体３３とが誘電体層３０ｂを挟んで互いに重なる幅Ｗ３、ならびに第１の片端短絡線路導体３２と第２の片端短絡線路導体３４とが誘電体層３０ｂを挟んで互いに重なる幅Ｗ４を調整することにより、第１の片端開放線路導体３１−第２の片端開放線路導体３３間ならびに第１の片端短絡線路導体３２−第２の片端短絡線路導体３４間で形成される電磁界結合として容量性結合が支配的となる場合は、通過帯域に対して低域側に減衰極を１個有するフィルタ特性（図１２−ａ）を、逆に誘導性結合が支配的となる場合は、通過帯域に対して高域側に減衰極を１個有するフィルタ特性（図１２―ｂ）を実現していた。
【０００８】
また、従来の積層ストリップラインフィルタの別な例として、特開平８−７０２０１号公報に、図１３に示す構成のものが提案されている。図１３は図９に対して、第３の片端開放線路導体３９、ならびに、第３の片端短絡線路導体４０が更に追加されることによって、従来の積層ストリップラインフィルタが２段接続される構成となっており、積層ストリップラインフィルタの接続段数を増やすことで、通過帯域外の減衰量の増大を実現していた。
【０００９】
これに対し、近年、携帯電話や無線ＬＡＮ等の無線通信機器が各種台頭してきており、混在する無線通信の周波数信号の中から所望の無線通信の周波数信号を選択する為、各種通信機器等において使用されるフィルタに対して、通過帯域外の減衰量増大の要求が顕在化してきている。また、無線通信機器の小型化の動向に対し、各種通信機器の内部で使用されるフィルタに対しても益々小型化の要求が強まってきている。
【特許文献１】特開平９−３３１２０１号公報
【特許文献２】特開平８−７０２０１号公報
【発明の開示】
【発明が解決しようとする課題】
【００１０】
しかしながら、特開平９−３３１２０１号公報で提案されている上記従来の積層ストリップラインフィルタにおいては、通過帯域に対して低域側に減衰極を１個、あるいは、高域側に減衰極を１個しか形成できないため、通過帯域外の減衰量を充分に確保できないという問題があった。
【００１１】
また、特開平８−７０２０１号公報で提案されている従来の積層ストリップラインフィルタを２段接続して通過帯域外の減衰量を増大させる手法は、フィルタを２段接続する構成となっている為、積層ストリップラインフィルタの平面方向のサイズが大きくなり、小型化の要求に対応できないという問題があった。
【００１２】
本発明は上記の問題点を解決するためになされたものであり、その目的は、高減衰でかつ小型な積層ストリップラインフィルタを提供することにある。
【課題を解決するための手段】
【００１３】
本発明の積層ストリップラインフィルタは、複数の誘電体層を積層してなる積層体の内部に、一端が短絡端とされ、他端が開放端とされた第１，第２の線路導体を、間に前記誘電体層を挟んで少なくとも一部が対向するように配設させるとともに、これら第１，第２の線路導体に対し前記誘電体層の積層方向の両側に一対の接地電極を配設し、前記一対の接地電極間に、一端が短絡端とされ、他端が連結導体を介してそれぞれ前記第１，第２の線路導体と電気的に接続される第３，第４の線路導体を、前記積層体を平面透視して前記第１，第２の線路導体に対し該線路導体の線路方向と直交する方向の両側、つまり前記第１，第２の線路導体を挟んで該線路導体の線路方向と直交する方向に配置し、また、一端が開放端とされ、他端が連結導体を介してそれぞれ前記第１，第２の線路導体と電気的に接続された第５，第６の線路導体を、前記積層体を平面透視して前記第１，第２の線路導体に対し該線路導体の線路方向と直交する方向の両側、つまり前記第１，第２の線路導体を挟んで該線路導体の線路方向と直交する方向に配置し、さらに、前記第３，第５の線路導体を前記第１の線路導体に対し該線路導体の線路方向と直交する方向の両側に、前記第４，第６の線路導体を前記第２の線路導体に対し該線路導体の線路方向と直交する方向の両側にそれぞれ配置したことを特徴とする。
【００１４】
また本発明の積層ストリップラインフィルタは、前記第１，第５の線路導体の開放端同士、及び前記第２，第６の線路導体の開放端同士が連結導体を介して電気的に接続されていることを特徴とする。
【発明の効果】
【００１５】
本発明の積層ストリップラインフィルタよれば、複数の誘電体層を積層してなる積層体の内部に、一端が短絡端とされ、他端が開放端とされた第１，第２の線路導体を、間に誘電体層を挟んで少なくとも一部が対向するように配設させるとともに、これら第１，第２の線路導体に対し誘電体層の積層方向の両側に一対の接地電極を配設し、一対の接地電極間に、一端が短絡端とされ、他端が連結導体を介してそれぞれ第１，第２の線路導体と電気的に接続される第３，第４の線路導体を、積層体を平面透視して第１，第２の線路導体に対しこの線路導体の線路方向と直交する方向の両側、つまり第１，第２の線路導体を挟んでこの線路導体の線路方向と直交する方向に配置し、また、一端が開放端とされ、他端が連結導体を介してそれぞれ第１，第２の線路導体と電気的に接続された第５，第６の線路導体を、積層体を平面透視して第１，第２の線路導体に対しこの線路導体の線路方向と直交する方向の両側、つまり第１，第２の線路導体を挟んでこの線路導体の線路方向と直交する方向に配置し、さらに、第３，第５の線路導体を第１の線路導体に対しこの線路導体の線路方向と直交する方向の両側に、第４，第６の線路導体を第２の線路導体に対しこの線路導体の線路方向と直交する方向の両側にそれぞれ配置したことにより、第１，第２の線路導体で通過帯域の低域側、または高域側に減衰極を１つ形成できることに加えて、連結導体と第３・第５の線路導体で形成される共振回路、および、連結導体と第４・第６の線路導体で形成される共振回路によって、通過帯域の高域側に新たな減衰極を１つ形成することができるので、積層ストリップラインフィルタの段数を増やすことなく、通過帯域外の減衰量を更に増大させることができる。この結果、高減衰でかつ小型な積層ストリップラインフィルタを提供することができる。
【００１６】
また、連結導体のもつインダクタンス成分によって通過帯域を低周波数側へずらすことができるので、各線路導体の線路方向の長さを短くすることができる。この結果、より小型な積層ストリップラインフィルタを提供することができる。
【００１７】
本発明の積層ストリップラインフィルタによれば、第１，第３の線路導体の開放端同士、第２，第４の線路導体の開放端同士が連結導体を介して接続されていることにより、第１，第３の線路導体の開放端同士が電気的に共通の開放端となるとともに、第２，第４の線路導体の開放端同士が電気的に共通の開放端となる為、連結導体を介して電気的に接続したことによって生じる、第１の線路導体の開放端に至る電気長と連結導体を経由して第３の線路導体の開放端に至る電気長の差、および、第２の線路導体の開放端に至る電気長と連結導体を経由して第４の線路導体の開放端に至る電気長の差を緩和することができ、これらの開放端に至る電気長の差に起因して生じる通過帯域の高域側での反共振現象を抑圧することができる。この結果、通過帯域外の減衰量を更に増大させることができ、更に高減衰でかつ小型な積層ストリップラインフィルタを提供することができる。
【発明を実施するための最良の形態】
【００１８】
本発明の積層ストリップラインフィルタについて図面を用いて以下に説明する。なお、以下の実施の形態では、パーソナルコンピュータとプリンタ等の周辺機器を無線で繋いだシステム等である無線ＬＡＮ（周波数帯域５ＧＨｚ）の周波数に対応した積層ストリップラインフィルタについて説明する。
【００１９】
図１は本発明の請求項１に係る第１の積層ストリップラインフィルタの実施の形態の一例を示す分解斜視図であり、図２は図１を積層方向から見た透視平面図である。
【００２０】
図１および図２において、１０ａは第１の誘電体層、１０ｂは第２の誘電体層、１０ｃは第３の誘電体層、１１は第１の線路導体、１２は第２の線路導体、１３は第３の線路導体、１４は第４の線路導体、１５は第５の線路導体、１６は第６の線路導体、１７は接地電極、１８は連結導体である。
【００２１】
そして、第１乃至第６の線路導体１１乃至１４は、それぞれ開放端１９と短絡端２０を有し、第１の誘電体層１０ａ−第２の誘電体層１０ｂ間に第２の線路導体１２と第４の線路導体１４と第６の線路導体１６が配設され、第２の誘電体層１０ｂ−第３の誘電体層１０ｃ間に第１の線路導体１１と第３の線路導体１３と第５の線路導体１５が配設され、第１の線路導体１１が第３，第５の線路導体１３，１５と連結導体１８を介して電気的に接続され、第２の線路導体１２が第４，第６の線路導体１４，１６と連結導体１８を介して電気的に接続されている。
【００２２】
そして、更に第１の誘電体層１０ａの下側と第３の誘電体層１０ｃの上側に一対の接地電極１７が配設されており、第１乃至第６の線路導体１１乃至１６のそれぞれの短絡端２０は側面導体（図示せず）によって電気的に接地されている。
【００２３】
また、第１の線路導体１１と第２の線路導体１２は、間に第２の誘電体層１０ｂを挟んで少なくとも一部が対向するように配設されている。
【００２４】
なお、図２においては、一対の接地電極１７の図示は省略している。
【００２５】
本発明の第１の積層ストリップラインフィルタに用いる第１乃至第３の誘電体層１０ａ乃至１０ｃを含む積層体１０は、例えばアルミナセラミックス・ムライトセラミックス等のセラミックス材料やガラスセラミックス等の無機系材料、あるいは四ふっ化エチレン樹脂（ポリテトラフルオロエチレン；ＰＴＦＥ）・四ふっ化エチレン−エチレン共重合樹脂（テトラフルオロエチレン−エチレン共重合樹脂；ＥＴＦＥ）・四ふっ化エチレン−パーフルオロアルコキシエチレン共重合樹脂（テトラフルオロエチレン−パーフルテロアルキルビニルエーテル共重合樹脂；ＰＦＡ）等のフッ素樹脂やガラスエポキシ樹脂・ポリイミド等の樹脂系材料等が用いられる。これらの材料による第１乃至第３の誘電体層１０ａ乃至１０ｃを含む積層体１０の形状や寸法（厚みや幅・長さ）は、使用される周波数や用途等に応じて設定される。
【００２６】
本発明の第１の積層ストリップラインフィルタに用いる第１乃至第６線路導体１１乃至１６、一対の接地電極１７、連結導体１８は、高周波信号伝送用の金属材料の導体層、例えばＣｕ層・Ｍｏ−Ｍｎのメタライズ層上にＮｉメッキ層およびＡｕメッキ層を被着させたもの・Ｗのメタライズ層上にＮｉメッキ層およびＡｕメッキ層を被着させたもの・Ｃｒ−Ｃｕ合金層・Ｃｒ−Ｃｕ合金層上にＮｉメッキ層およびＡｕメッキ層を被着させたもの・Ｔａ２Ｎ層上にＮｉ−Ｃｒ合金層およびＡｕメッキ層を被着させたもの・Ｔｉ層上にＰｔ層およびＡｕメッキ層を被着させたもの、またはＮｉ−Ｃｒ合金層上にＰｔ層およびＡｕメッキ層を被着させたもの等を用いて、厚膜印刷法あるいは各種の薄膜形成方法やメッキ法等により形成される。その厚みや幅も、伝送される高周波信号の周波数や用途等に応じて設定される。
【００２７】
なお、以上の本発明の第１の積層ストリップラインフィルタを構成する材料や形成方法については、後述する本発明の第２の積層ストリップラインフィルタについても同様である。
【００２８】
本発明の第１の積層ストリップラインフィルタに用いる第１乃至第３の誘電体層１０ａ乃至１０ｃを含む積層体１０の作製にあたっては、例えば誘電体層１０ａ乃至１０ｃを含む各誘電体層がガラスセラミックスから成る場合であれば、まず誘電体層となるガラスセラミックスのグリーンシートを準備し、これに所定の打ち抜き加工を施して貫通導体となる貫通孔を形成した後、スクリーン印刷法によりＣｕ等の導体ペーストを貫通孔に充填するとともに、所定の各線路導体のパターンおよびその他の導体層のパターンを印刷塗布する。次に、８５０〜１０００℃で焼成を行ない、最後に各導体層上にＮｉメッキおよびＡｕメッキを施す。
【００２９】
図３は、図１および図２に示す本発明の第１の積層ストリップラインフィルタの回路図であり、図４は図１および図２に示す本発明の第１の積層ストリップラインフィルタで実現できるフィルタ特性図である。
【００３０】
本発明の第１の積層ストリップラインフィルタは、第１乃至第３の誘電体層１０ａ乃至１０ｃが順次積層された積層体の内部に、一端が短絡端２０とされ、他端が開放端１９とされた第１，第２の線路導体１１，１２を、間に第２の誘電体層１０ｂを挟んで少なくとも一部が対向するように配設させるとともに、これら第１，第２の線路導体１１，１２に対して積層体の積層方向両側に一対の接地電極１７を配設し、更に一対の接地電極１７間に、一端が短絡端２０とされるとともに第１，第２の線路導体１１，１２に連結導体１８を介して電気的に接続された第３，第４の線路導体１３，１４と、他端が開放端１８とされるとともに第１，第２の線路導体１１，１２と連結導体１８を介して電気的に接続された第５，第６の線路導体１５，１６とを、積層方向と直交する方向にずらして配置させたことにより、図３に示す連結導体１８，第３の線路導体１３および第５の線路導体１５で形成される共振回路１、および、連結導体１８，第４の線路導体１４および第６の線路導体１６で形成される共振回路２を構成することができる。この結果、第１，第２の線路導体で通過帯域の低域側、または、高域側に減衰極を１つ形成できることに加えて、この共振回路１と共振回路２によって、通過帯域の高域側に新たな減衰極を１つ形成することができ、図４−（ａ）または図４−（ｂ）に示す減衰極を２つ有するフィルタ特性を実現できる。この結果、積層ストリップラインフィルタの段数を増やすことなく、通過帯域外の減衰量を更に増大させることができるので、高減衰でかつ小型な積層ストリップラインフィルタを提供することができる。
【００３１】
図５は図１および図２に示す本発明の第１の積層ストリップラインフィルタの周波数特性を示すグラフである。図５において、横軸は周波数（単位：ＧＨｚ）を、縦軸は積層ストリップラインフィルタの周波数特性を信号減衰量（単位：ｄＢ）で表わし、ａ線の特性曲線は本発明の第１の積層ストリップラインフィルタの周波数特性を、ｂ線の周波数特性は従来の積層ストリップラインフィルタの周波数特性を示している。なお、本発明の第１の積層ストリップラインフィルタ、ならびに、従来の積層ストリップラインフィルタにおける第１乃至第３の誘電体層１０ａ乃至１０ｃの厚みはそれぞれ同一に設定されている。
【００３２】
図５の結果より、本発明の第１の積層ストリップラインフィルタによれば、図３に示す共振回路１と共振回路２によって、従来の積層ストリップラインフィルタに比べて、通過帯域の高域側に新たな減衰極を１つ形成することができ、減衰極を２つ有するフィルタ特性を実現できることがわかる。この結果、積層ストリップラインフィルタの段数を増やすことなく、通過帯域外の減衰量を更に増大させることができるので、高減衰でかつ小型な積層ストリップラインフィルタを提供することができる。例えば、図５に示す例の場合、本発明の第１の積層ストリップラインフィルタは、従来の積層ストリップラインフィルタに対し、平面方向のサイズが約３０％小さくなっている。
【００３３】
また、本発明の積層ストリップラインフィルタは、連結導体１８のインダクタンス成分によって通過帯域を低周波数側へずらすことができるので、各線路導体１１〜１６の線路方向の長さを短く設定することができ、その結果更に小型にすることができる。例えば図５に示す例の場合、線路方向のサイズを約２０％小型化することができる。
【００３４】
なお、第１乃至第６線路導体１１乃至１６は、フィルタの仕様等に応じて各々の線路導体の開放端側の線幅と短絡端側の線幅を任意に設定すればよい。
【００３５】
次に、本発明の請求項２に係る第２の積層ストリップラインフィルタについて実施の一形態を図６の分解斜視図、および、図７の透視平面図に示す。なお、図６および図７において、図１および図２と同じ部位には同じ符号を付している。
【００３６】
図６および図７は、図１および図２に対し、更に第１の線路導体１１の開放端１９と第５の線路導体１５の開放端１９とを連結導体２１で接続するともに、第２の線路導体１２の開放端１９と第６の線路導体１６の開放端１９とを連結導体２１で接続した構成となっている。そして、この構成にすることにより、第１，第５の線路導体１１，１５の開放端１９同士が電気的に共通の開放端となるとともに、第２，第６の線路導体１２，１６の開放端１９同士が電気的に共通の開放端となる為、連結導体１８を介して電気的に接続したことによって生じる、第１の線路導体１１の開放端１９に至る電気長と連結導体１８を経由して第５の線路導体１５の開放端１９に至る電気長の差、および、第２の線路導体１２の開放端１９に至る電気長と連結導体１８を経由して第６の線路導体１６の開放端１９に至る電気長の差を緩和することができ、これらの開放端に至る電気長の差に起因して生じる通過帯域の高域側での反共振現象を抑圧することができる。この結果、通過帯域外の減衰量を更に増大させることができ、更に高減衰でかつ小型な積層ストリップラインフィルタを提供することができる。
【００３７】
図８は図６および図７に示す本発明の第２の積層ストリップラインフィルタの周波数特性を示すグラフである。図８において、横軸は周波数（単位：ＧＨｚ）を、縦軸は積層ストリップラインフィルタの周波数特性を信号減衰量（単位：ｄＢ）で表わし、ｃ線の特性曲線は本発明の第２の積層ストリップラインフィルタの周波数特性を、ｄ線の周波数特性は本発明の第１の積層ストリップラインフィルタの周波数特性を示している。なお、本発明の第１および第２の積層ストリップラインフィルタにおける第１乃至第３の誘電体層１０ａ乃至１０ｃの厚みはそれぞれ同一に設定されている。
【００３８】
図８の結果より、本発明の第２の積層ストリップラインフィルタによれば、第１の線路導体１１の開放端１９と第５の線路導体１５の開放端１９とを連結導体２１で接続するともに、第２の線路導体１２の開放端１９と第６の線路導体１６の開放端１９とを連結導体２１で接続したことによって、第１，第５の線路導体１１，１５の開放端１９同士が電気的に共通の開放端となるとともに、第２，第６の線路導体１２，１６の開放端１９同士が電気的に共通の開放端となる為、連結導体１８を介して電気的に接続したことによって生じる第１の線路導体１１の開放端１９に至る電気長と連結導体１８を経由して第５の線路導体１５の開放端１９に至る電気長の差、および、第２の線路導体１２の開放端１９に至る電気長と連結導体１８を経由して第６の線路導体１６の開放端１９至る電気長の差を緩和することができ、これらの開放端に至る電気長の差に起因して生じる通過帯域の高域側での反共振現象を抑圧することができる。この結果、通過帯域外の減衰量を更に増大させることができ、更に高減衰でかつ小型な積層ストリップラインフィルタを提供することができる。
【００３９】
なお、本発明の積層ストリップラインフィルタは、以上の実施の形態の例に限定されるものではなく、本発明の要旨を逸脱しない範囲で種々の変更を加えても何ら差し支えない。
【００４０】
例えば、本発明の積層ストリップラインフィルタは、図１に示す例では、第１の線路導体１１と第３の線路導体１３と第５の線路導体１５とが同一平面上に配されるとともに、第２の線路導体１２と第４の線路導体１４と第６の線路導体１６が同一平面上に配設されているが、各々の線路導体を任意の平面に配設して構成しても良い。任意の平面に配設することによって、積層された複数の誘電体層の内部に形成する積層ストリップラインフィルタの設計自由度が更に向上し、更に小型で高性能な積層ストリップラインフィルタを提供することができる。
【００４１】
また、積層ストリップラインフィルタの形成に使用される第１乃至第６の線路導体１１乃至１６は、図１の例では、各線路導体の長さが略同一に設定されているが、各々の線路導体の長さを任意に設定しても良い。
【００４２】
また、本発明の積層ストリップラインフィルタは、図１に示す例では、第１の誘電体層１０ａの下側と第３の誘電体層１０ｃの上側に一対の接地電極１７が配設され、一対の接地電極１７の間に第１乃至第６の線路導体１１乃至１６が配設される構成となっているが、この形態に限られるものではなく、一対の接地電極１７間に更に別の接地電極を複数挿入しても良い。一対の接地電極１７間に更に別の接地電極を複数挿入することにより、第１乃至第６の線路導体１１乃至１６の線路幅を更に調整することが可能となり、積層された複数の誘電体層の内部に形成する積層ストリップラインフィルタの設計自由度が更に向上し、更に小型で高性能な積層ストリップラインフィルタを提供することができる。
【００４３】
また、積層ストリップラインフィルタの形成に使用される第１乃至第６の線路導体１１乃至１６は、図１の例ではそれぞれ単一の線路導体で形成されているが、それぞれ電磁気的に１つの伝送線路とみなせるような複数の導体で形成してもよい。
【００４４】
また、積層ストリップラインフィルタの使用されるシステムはＧＳＭ（Ｇｏｂａｌ  Ｓｙｓｔｅｍ  ｆｏｒ  Ｍｏｂｉｌｅ  Ｃｏｍｍｕｎｉｃａｔｉｏｎｓ）やＤＣＳ（Ｄｉｇｉｔａｌ  Ｃｅｌｌ  Ｓｙｓｔｅｍ）やＢｌｕｅｔｏｏｔｈなどでもよい。
【００４５】
また、積層ストリップラインフィルタの形成に使用される積層体は、図１の例では、第１乃至第３の誘電体層１０ａ乃至１０ｃの３層を含む場合を示しているが、誘電体の層数を４層以上で形成してもよい。
【図面の簡単な説明】
【００４６】
【図１】本発明の積層ストリップラインフィルタの実施の形態の一例を示す分解斜視図である。
【図２】本発明の積層ストリップラインフィルタの実施の形態の一例を示す透視平面図である。
【図３】本発明の積層ストリップラインフィルタの回路図である。
【図４】本発明の積層ストリップラインフィルタにおける信号減衰量（単位：ｄＢ）示す線図である。
【図５】本発明の積層ストリップラインフィルタおよび従来の積層ストリップラインフィルタにおける信号減衰量（単位：ｄＢ）示す線図である。
【図６】本発明の積層ストリップラインフィルタの実施の形態の他の例を示す分解斜視図である。
【図７】本発明の積層ストリップラインフィルタの実施の形態の他の例を示す透視平面図である。
【図８】本発明の積層ストリップラインフィルタにおける信号減衰量（単位：ｄＢ）示す線図である。
【図９】従来の積層ストリップラインフィルタの分解斜視図である。
【図１０】従来の積層ストリップラインフィルタの透視平面図である。
【図１１】従来の積層ストリップラインフィルタの回路図である。
【図１２】従来の積層ストリップラインフィルタにおける信号減衰量（単位：ｄＢ）示す線図である。
【図１３】従来の積層ストリップラインフィルタの分解斜視図である。
【符号の説明】
【００４７】
１０ａ：第１の誘電体層
１０ｂ：第２の誘電体層
１０ｃ：第３の誘電体層
１１：第１の線路導体
１２：第２の線路導体
１３：第３の線路導体
１４：第４の線路導体
１５：第5の線路導体
１６：第６の線路導体
１７：接地電極
１８：連結導体
１９：開放端
２０：短絡端
２１：連結導体
【図１】
2006270762.tif 000003
【図２】
2006270762.tif 000004
【図３】
2006270762.tif 000005
【図４】
2006270762.tif 000006
【図５】
2006270762.tif 000007
【図６】
2006270762.tif 000008
【図７】
2006270762.tif 000009
【図８】
2006270762.tif 000010
【図９】
2006270762.tif 000011
【図１０】
2006270762.tif 000012
【図１１】
2006270762.tif 000013
【図１２】
2006270762.tif 000014
【図１３】
2006270762.tif 000015